(57)【要約】【課題】  本の内容に連動した情報を他の情報伝達手段を用いてユーザに提供する。【解決手段】  ページ検出部１０は、ページに開けれれた孔および裏表紙に設けれた光センサによって、現在開かれているページが属する区分を決定する。続いて、タイマ部１０６は所定時間が経過したか否かを判定する。所定時間が経過した場合は、制御部１１は当該区分に対応した香気の種類及び楽曲を特定する。香気発生部１２は決定された種類の香気を発生させるともに、楽音発生部１３は決定された楽曲を再生する。これにより、現在読んでいる箇所に応じた香気や楽音が読者に提供される。【選択図】  図２
2006289775.tif 000002
【特許請求の範囲】
【請求項１】
複数のページと、
開かれているページを検出するページ検出部と、
前記ページ検出部にて検出されたページに応じた香気を発生させる香気発生部と
を備えた書籍。
【請求項２】
複数のページと、
開かれているページを検出するページ検出部と、
前記ページ検出部にて検出されたページに応じた楽音を発生させる楽音発生部と
を備えた書籍。
【請求項３】
複数のページと、
関連情報の格納場所を示す格納場所情報と複数のページとを対応づけて記憶する記憶部と、
開かれているページを検出するページ検出部と、
前記ページ検出部にて検出されたページに対応する格納場所情報を前記記憶部から抽出する抽出部と、
前記抽出手段により抽出された格納場所情報を外部端末へ送信する通信部と、
を備えた書籍。
【請求項４】
各ページの区分を記憶する記憶部を更に有し、
前記香気発生部は前記ページ検出部にて検出したページの区分に応じて香気を発生させる
ことを特徴とする請求項１に記載の書籍。
【請求項５】
各ページの区分を記憶する記憶部を更に有し、
前記楽音発生部は前記ページ検出部にて検出したページの区分に応じた楽音を発生させる
ことを特徴とする請求項１に記載の書籍。
【請求項６】
前記記憶部は前記格納場所情報と各ページの区分とを対応付けて記憶し、
前記抽出部は、前記ページ検出部にて検出したページの区分に対応する格納場所情報を抽出する
ことを特徴とする請求項３に記載の書籍。
【請求項７】
前記複数のページには各々前記区分に応じた位置に孔が少なくとも１つ開けられ、
前記ページ検出部は、前記孔に対応する位置に設けられた光センサを有する
ことを特徴とする請求項４ないし６のいずれか１に記載の書籍。
【請求項８】
前記複数のページの各々において所定の領域に磁気塗料が塗布され、
前記ページ検出部は、前記磁気塗料からの磁気を検出する磁気センサを有する
ことを特徴とする請求項４ないし６のいずれか１に記載の書籍。
【請求項９】
前記複数のページの各々は一部を金属材料で構成されており、
前記ページ検出部は、裏表紙に設けられた接触抵抗を測定する抵抗計を有する
ことを特徴とする請求項４ないし６のいずれか１に記載の書籍。
【請求項１０】
前記複数のページのうちの少なくとも１のページには無線送信装置が設けられ、
前記ページ検出部は、裏表紙に設けられた無線受信装置を有し、
前記無線送信装置と前記無線受信装置は所定の距離内にあるときのみ無線通信を行う
ことを特徴する請求項４ないし６のいずれか１に記載の書籍。
【発明の詳細な説明】
【技術分野】
【０００１】
本発明は、書籍の構造および書籍と連動した情報の提供に関する。
【背景技術】
【０００２】
近年、若年層の活字離れ・読書離れが問題となっている。その一因として、テレビゲーム機器の登場やテレビ、インターネットや携帯電話といった新たな情報メデイアの急速な発達が挙げられている。活字から情報を読み取るよりも、映像や音声で情報を受け取る方が楽であるという一面もあり、また、映像や音声で提供するのに適した情報も確かに存在する。しかしながら、例えば、小説とそれを原作とするテレビドラマや映画とを考えてみれば分かるように、小説で得た感動と同一感動は、決して映画やテレビで得られるものではない。このように活字メディアには活字メデイアなりの意義があり、読書離れがこのまま進行すると文化的衰退にも繋がりかねない。
【０００３】
このような背景の下、児童や生徒に本に興味を持ってもらおう、あるいは活字に親しんでもらおうという啓蒙活動も行なわれている。しかし、このような活動によって読書離れを食い止めることはあまり期待できないというのが実情と言わざるを得ない。そこで、書籍に付加価値を付けるべく、例えば書籍とインターネットのサイトとを連動させることも考えられている。具体的には、本の内容に関連したコンテンツをインターネット上のサーバに格納しておき、このサーバのＵＲＬを本に印刷しておき読者にアクセスを促す。これに興味を示した読書は、ＰＣや携帯端末等を用いてそのサーバにアクセスする。しかしながら、この方法では読者が興味を示してくれない限りアクセスすることはないし、また逐一サーバのＵＲＬを手入力しなければならいので、読書の流れが妨げられ、読者が気軽にアクセスすることはできない。この程度の付加価値では、読書離れを食い止められるような魅力的なものとまではならない。換言すれば、従来の技術では、印刷物による情報の提供とそれ以外の情報伝達手段による情報の提供をスムーズに連動させることができない。
【発明の開示】
【発明が解決しようとする課題】
【０００４】
本発明は、上述した背景に鑑みてなされたものであり、本の内容に連動した情報を他の情報伝達方法を用いてユーザに提供することのできる書籍および当該書籍の活用方法を提供することを目的とする。
【課題を解決するための手段】
【０００５】
上記課題を解決するため、本発明は、複数のページと、開かれているページを検出するページ検出部と、前記ページ検出部により検出されたページに応じた香気を発生させる香気発生部とを備えた書籍を提供する。
【０００６】
好ましい態様において、本発明の書籍は、複数のページと、開かれているページを検出するページ検出部と、前記ページ検出部により検出されたページに応じた楽音を発生させる楽音発生部とを備える。
【０００７】
別の好ましい態様において、本発明の書籍は、複数のページと関連情報の格納場所と複数のページとを対応づけて記憶する記憶部と、開かれているページを検出するページ検出部と、前記ページ検出部により検出されたページに対応する格納場所を前記記憶部から抽出する抽出手段と、前記抽出手段により抽出された格納場所情報を外部端末へ送信する通信部とを備える。
【０００８】
本発明の書籍は、各ページの区分を記憶する記憶部を更に有し、前記香気発生部は検出したページの区分に応じて香気を発生させてもよい。また、各ページの区分を記憶する記憶部を更に有し、前記楽音発生部は検出したページの区分に応じた楽音を発生させてもよい。また、前記記憶部は、前記関連情報の格納場所と各ページの区分とを記憶し、前記抽出部は検出したページの区分に対応する格納場所を抽出してもよい。
【０００９】
好ましい態様において、前記複数のページには前記区分に応じた位置に孔が少なくとも１つ開けられ、前記ページ検出部は、前記孔に対応する位置に設けられた光センサを有することを特徴とする。あるいは、前記複数のページには磁気塗料が塗布され、前記ページ検出部は、前記磁気塗料からの磁気を検出する磁気センサを有していてもよい。あるいは、前記複数のページの各々は一部を金属材料で構成され、前記ページ検出部は、裏表紙に設けられた接触抵抗を測定する抵抗計を有していてもよい。あるいは、前記複数のページのうちの少なくとも１のページに無線送信装置を設けるとともに、前記ページ検出部は前記無線送信装置と前記無線受信装置は所定の距離内にあるときのみ通信を行う無線受信装置を裏表紙部に有していてもよい。
【発明を実施するための最良の形態】
【００１０】
（書籍の構造例）
図１は、本発明の一実施例に係る多機能書籍１の機能構成を示すものである。多機能書籍１は、表紙、背表紙、裏表紙、および活字や図画（挿絵、写真等を含む）が印刷された各ページから構成される通常の書籍としての構造（同図には示さず）を有しているほか、ページ検出部１０、制御部１１、香気発生部１２、楽音発生部１３、通信部１４、電源部１５、タイマ１６、および基板１７を備えている。
【００１１】
ページ検出部１０は、光センサとその制御回路等から構成され、多機能書籍１の読者が現在開いているページを検出する。ページの検出方法の詳細については後述する。香気発生部１２は、香気を貯蔵するタンクおよびタンクから香気の放出を制御する手段を備え、制御部１１からの指示の下で香気の発生を行う装置である。楽音発生部１３は、ＤＳＰ（Digital signal processor)等の音声処理プロセッサ、楽曲（メロディ)データを記憶するためのＲＡＭやＲＯＭ等のメモリ、および放音手段としての薄型スピーカから構成され、制御部１１の指示の下で楽音の発生を行う。例えば、このＲＯＭ等には、複数種類（例えば５種類）の所定の長さ（例えば３０秒）のメロディーデータが格納される。データのフォーマットは、例えば「ｍｐ３」や「ｗａｖ」である。制御部１１は、ＣＰＵ等の制御プロセッサとＲＡＭ、ＲＯＭ等のメモリとから構成され、多機能書籍１の各部を制御する。具体的には、香気発生部１２にて放出させるべき香気の種類や楽音発生部１３にて発音させるべき楽曲等をページに対応付けて制御部１１のＲＯＭ等に予め記憶しておき、ページ検出部１０から供給された情報に基づき香気発生部１２および楽音発生部１３を制御する。通信部１４は、通信回路および通信アンテナやケーブル接続コネクタ等のインタフェースから構成され、外部の装置と通信を行う。電源部１５は、シート状またはボタン型の薄型電池及びその周辺回路から構成され、多機能書籍１の各部に電力を供給する。薄型電池は、例えばＮｉ−Ｃｄ型電池でもよいし、太陽電池であってもよい。タイマ１６は、振動子等を備えた経過時刻を測定する半導体回路である。基板１７は、例えば厚さ０.１ｍｍ(ミリメートル)〜１ｍｍ程度のシート状の基板であり、上記各部は全て基板１７上に配設され若しくは基板１７と図示せぬコネクタ等を介して電気的に接続される。
【００１２】
上記各部が多機能書籍１のどの部分に配設されているかを例示したのものが図２および図３である。図２は多機能書籍１の外観斜視図であり、同図に示すように、基板１７は多機能書籍１の裏表紙Ｕに配置される。より具体的には、一例として、裏表紙Ｕの表面の内部、裏表紙の表面Ｕ１と裏表紙の裏面Ｕ２との間に基板１７を埋設される。この場合、裏表紙は２枚の紙から構成されその間に基板１７が挟み込まれた構造となる。あるいは、裏表紙の裏面Ｕ２の表面に基板１７を形成してもよい。紙上または紙中に薄型基板を配設・埋設する方法は任意である。図２には、裏表紙の裏面Ｕ２の内部に埋設される態様を示している。ただし、制御回路（図示せず）とともにページ検出部１０を構成するセンサＤ１〜Ｄ５に関しては、外光を検知することができるように、裏表紙の裏面Ｂの表面に形成される。また、同図に示すように、センサＤ１〜Ｄ５は全て裏表紙の裏面Ｕ２の右端に形成される。
【００１３】
図３に示すように、香気発生部１２は背表紙Ｓに設けられる。より具体的には、背表紙Ｓの内部（すなわち、背表紙が２枚の紙で構成されている場合におけるその紙に挟まれた空間）に埋設することができる。あるいは、背表紙の内側の面とページ（の束）の背の間に形成される空間に固定される。ページ捲り作業に障害とならない限り、香気発生部１２は埋設方法や書籍本体への固定方法は任意である。香気発生部の大きさや形状等に合わせて背表紙部分の構造を製本時に適宜調節するのが好ましい。あるいは、製本が済んでから、背表紙の外側に香気発生部１２を固着させてもよい。
【００１４】
香気発生部１２の構造を更に詳細に示したものが図４である。同図に示すように、香気発生部１２は、香気ガスが充填された細長円筒形状の金属製等の香気貯蔵タンク１２１と、香気貯蔵タンク１２１からの外部への香気の放出を制御するための香気放出制御部１２２とから構成される。香気貯蔵タンク１２１は、さらに、異なる種類の香気が充填された香気貯蔵タンク１２１(a)〜１２１(e)に細分化されている（図示せず）。香気放出制御部１２２は、一例としては、香気タンクからの香気を封じ込めるための弁と、基板１７を介して制御部１１からの信号に基づき弁の開閉を制御する制御装置とから構成される。香気の貯蔵方法や放出制御機構はこれに限らず、情的な技術を提供することができる。例えば、弁に替えて小型モータによって香気の放出を行ってもよい。あるいは、超音波振動子を用いて香気の放出を行ってもよい。書籍の厚み（ページ数）等に応じて、好適な貯蔵方法および放出機構を採用することができる。
【００１５】
楽音発生部１３の各部の配設位置は任意である。図２においては、裏表紙の中央付近に埋設されている例が示されている。
【００１６】
図２および図３において、通信部１４は、有線もしくは無線にて外部の装置との信号の授受を行う通信インタフェース１４１と信号を処理するための送受信回路（図示せず）とから構成される。例えば、通信インタフェース１４１は、ＵＳＢやＩＥＥＥ１３９４に対応したコネクタであり、送受信回路はＵＳＢ通信、ＩＥＥＥ１３９４のそれぞれに対応した信号処理プロセッサである。あるいは、送受信回路をＢｌｕｅｔｏｏｔｈ（登録商標）やＩｒＤＡ等の赤外線通信のための信号処理プロセッサで構成し、通信インインタフェースをそれぞれに対応した通信アンテナで構成してもよい。すなわち、通信方式については任意であり、有線・無線を問わない。また、図２および３においては、送受信回路を裏表紙の内部に、通信インタフェース１４１を背表紙の下部に設けた例が示されているが、この位置に限定されるわけではない。
【００１７】
電源部１５の制御方法は任意であるが、例えば、ページ検出部が本のいずれかのページが開かれていることを検知するとスイッチがオンとなり、本が閉じられたことを検知するとスイッチがオフとなるように、電源部１５の制御回路の構成することができる。電源部１５の配設位置は任意であるが、図２には裏表紙の内部左側に埋設される例を示している。タイマ１６の配設位置は任意であるが、図２では裏表紙の上部に埋設されている例が示されている。
【００１８】
なお、上記各部は独立したモジュールである必要はなく、例えば楽音発生部１３と通信部１４を１つの集積回路で構成してもよい。また、例えば、制御部１１内のＲＯＭと楽音発生部１３内のＲＯＭは、ＥＥＰＲＯＭ等の書換え可能なメモリで一体に構成してもよい。この場合、ユーザあるいは書籍の販売元が楽曲データ等を自由に書き換えるようにしてもよい。
【００１９】
（動作例１）
以下、多機能書籍１の動作について説明する。
動作の一例として、読者が読んでいるページ（すなわち開いているページ）に応じて異なった香りおよび楽音を発生させる場合について説明する。具体的には、１０１ページからなる本の内容構成が図５に示すように、目次、第１章、第２章、第３章、第４章、と区分される場合において、各区分（目次または章）ごとに異なる芳香および楽音を発生させる場合について説明する。
【００２０】
この場合、書籍の出版元は、本の内容に応じた情報を予め制御部１１のＲＯＭに格納しておく。例えば図６に示すデータテーブルＴをＲＯＭ内に記憶しておく。このデータテーブルＴは、ページの区分である章または目次と、香気発生部１２から発生可能な香気の種類および楽音発生部１３にて再生可能なメロディとの対応関係を記述したものである。具体的な対応関係の例としては、例えば、本の内容が小説である場合、ストーリーの導入部分である第1章にはゆったりとしたスローテンポな楽曲Ｍａとリラックス効果の高い香気Ｐａとを対応づけておく一方、ストーリーが急展開する第３章についてはテンポの速い楽曲Ｍｃと覚醒効果の強いの香気Ｐｃを対応付けておく、というような対応づけ方法が考えられる。
【００２１】
また、同図説明の便宜上、多機能書籍１は、両面印刷、左綴じで、且つ見開いた状態で奇数ページが常に右側、（従って偶数ページが常に左側）となるような製本方法が採用されているものとする。また、見返り紙等は挿入されてないものとする。従って、原稿は１ページ（１枚目）から始まり１０１枚ページ（５１枚）存在することになる。また、最後の１０２ページ目は空白とする。なお、用紙の質や色などについては基本的には任意であるが、プラスティックフィルム等の透過率の高いものは適さない。また、光センサの誤動作を防止するため、表紙および裏表紙にはなるべく光を通さない材質または色のものを採用するのが好ましい。また、当然ながら、読者は蛍光灯や太陽光（以下、外光という）などの明かりがある環境で本を読むものとする。
【００２２】
まず、読者が開いているページの検出方法について説明する。図７に多機能書籍１の最終ページ（１０２ページ目）を開いたときの様子を示す。同図には、上述したページ検出部１０のセンサＤ１〜Ｄ５が表面に形成される。加えて、第１０２ページの左側（裏側である１０１ページの右側と言ってもよい）において、各センサに対応した位置に計５つの孔Ｈ１〜Ｈ５が開けられている。すなわち、第１０２ページが裏表紙に接触した状態（換言すれば、第１００ページと第１０１ページを開いた状態）において、各センサＤ１〜Ｄ５の中心と各孔Ｈ１〜Ｈ５の中心とが一致するように孔が開けられる。このように、多機能書籍１の各ページにはそれぞれ奇数ページの右端（換言すれば、偶数ページの左端）に孔が開けられる。なお、孔の形状や大きさは任意であるが、活字や絵の印刷領域を侵食しない範囲で、センサと同程度の大きさかそれよりもやや大きいことが好ましい。以下、孔の開け方について詳説する。図7には孔が円形である場合の例が示されている。また、孔を開けるタイミングは製本後でも製本前でもよい。ただし、ページによって開けられる孔の位置が異なる。以下、孔を開ける位置について詳説する。
【００２３】
図８は、ページに開ける孔の位置を示した図である。以下では、説明の便宜上、奇数ページを使って説明するが、例えば第ｎ（ｎは奇数）ページの右端に孔が開けた場合は、当然、その孔は第ｎ-1ページ（偶数ページ）左端に開けられたことになる。同図において、センサＤ１に対応した位置に開けられる孔Ｈ１は、第１ページから第１０１ページ（つまり全ての用紙）に開ける。つまり、表紙が開かれているならば、どのページを開いていても孔Ｈ１から外光がセンサＤ１に到達することになる。センサＤ２に対応した位置に開けられる孔Ｈ２は、第１７ページから第３５ページの用紙に開ける。つまり、第１ページ〜第１５ページが開かれた状態では孔Ｈ２を通してセンサＤ２に外光が到達ことはないが、第１７ページ〜第１０１ページが開かれた状態では孔Ｈ２を通してセンサＤ２に外光が到達する。孔Ｈ３、Ｈ４、Ｈ５についても、同様にして、区分ごとに異なる孔を開ける。このようにして孔が開けられたページを図９(a)〜(e)に示す。
【００２４】
図１０は、センサＤ１〜Ｄ５が外光を検出するパターンを示した表である。同表中、「○」はセンサが光を受信することを示し、「×」は受信しないことを示す。同図に示すように、各区分（目次および章）とセンサＤ１〜Ｄ５にて検出されるパターンとは一意に対応付けられるので、これらの検出パターンが得られれば、読者が開いているページに対応する区分が一意に定まる。例えば、センサＤ１〜Ｄ３は光を検知し、センサＤ４およびＤ５は光を検知していないパターンが得られた場合は（パターン４）、現在開かれているのは第３章（すなわち第３６ページ〜第６７ページのいずれか）であると特定される。
【００２５】
続いて、図１１を用いて、多機能書籍１の全体の動作を説明する。まず、上述したように、ページ検出部１０がページの検出を行う（ステップＳ１０）。続いて、いかなるページも開かれていない（すなわち表紙が閉じている）か否かを判定する（ステップＳ１２）。表紙が閉じている場合（ステップＳ１２、Ｙ）、ページ検出部１０は所定の信号を制御部１１に出力し、制御部１１は電源部１５に所定の信号を供給して電源をオフにする（ステップＳ１８）。いずれかのページが開かれている場合（ステップＳ１２、Ｎ）、タイマ１６は所定時間（例えば３０秒）が経過したか否かを判定する（ステップＳ１４）。所定時間が経過していない場合は（ステップＳ１４、Ｎ）、ステップＳ１０へ戻る。所定時間が経過した場合は（ステップＳ１４、Ｙ）、楽音および芳香の発生処理を行う（ステップＳ１６）。具体的には、まずページ検出部１０にて特定した区分の情報を制御部１１に供給する。すると制御部１１は、制御部１１のＲＯＭ等を参照し、特定された章（または目次）に対応する香気の種類を特定し、特定された種類の香気を発生させるための信号を香気発生部１２の香気放出制御部１２２に供給する。香気放出制御部１２２は、香気貯蔵タンク１２１（ａ）〜（ｅ）のうち当該信号で指定されたタンクから香気を一定量放出させる。続いて、制御部１１は、供給されたページに対応する楽曲を特定し、楽音発生部１３に対しこの楽曲を発音させるための信号を供給する。楽音発生部１３は、当該信号を受信すると当該楽曲を発音する。電源がオフになるまでステップＳ１０からＳ１６までに処理を繰り返す。このようにして、現在開かれているページに対応した香気が発生するとともにメロディが流れる。
【００２６】
上述した例によれば、多機能書籍１の読者は、現在読んでいるページに応じた芳香を嗅ぐことができるとともに、現在読んでいるページに応じたメロディを聴くことができる。すなわち、活字や挿絵という視覚からの情報に加えて、嗅覚や聴覚からの情報が同時に読者の脳に届くことになる。このように複数の感覚器官への刺激の相乗効果により、読者は従来の読書では得られなかった感動や共感といった感覚を得ることができる。このように、多機能書籍１を用いれば、従来の活字媒体にはなかった付加価値を書籍に付加させることができる。
【００２７】
なお、所定時間を３０秒としたのは、楽曲データの長さに合わせるためと、程よい濃度の香気を読者に提供するためである。香気のみを発生させる場合は、このステップを省略することも可能であるが、例えばずっと同じページ（あるいは同じ章）を読んでいる等の場合、同じ種類の香気が放出され続けることになるので、香気の濃度が高くなりすぎて読者に不快に感じられたり、あるいは香気に慣れて飽きられて可能性もあるので、所定の時間間隔で香気を発生させることとしたのである。よって、この所定時間は適宜変更することができる。また、香気の種類は任意であって必ずしも区分と同数の種類の香気を用意する必要はない。また、特定のページ（例えば目次ページ）ではいかなる香気も発生しないようにしてもよい。また、香気を１種類とし、いずれかのページが開かれていることを検知したら（すなわち本が開かれている限り）、香気を発生させるようにしてもよい。
【００２８】
（動作例２）
図１２は、多機能書籍１を利用した情報提供システム１００の全体構成を示す図である。同図に示すように、情報提供システム１００においては、多機能書籍１に加えて、携帯端末２と通信ネットワーク３とコンテンツサーバ４とから構成される。携帯端末２は、携帯電話機、ＰＤＡ、ノートＰＣ等の携帯型情報端末であって、ＩｒＤＡ等の赤外線通信やＢｌｕｅｔｏｏｔｈ等の近距離無線通信を行う機能を有しており、通信インタフェース１４１を介して多機能書籍１と無線通信を行う。加えて、携帯端末２はブラウザアプリケーションが実装されており、無線通信網およびインターネットを含む通信ネットワーク３を介してインターネット上のコンテンツサーバにアクセスし、コンテンツサーバ４からコンテンツ（ＨＴＭＬで記述された文書データ、静止画ファイル、動画ファイル、音声データファイル等）を取得する機能を有している。加えて、近距離無線通信により取得した情報にＵＲＬが含まれている場合には、当該ＵＲＬを抽出してブラウザアプリケーションに提供するための近距離通信アプリケーションが実装されている。なお、コンテンツサーバ４は実際には複数存在し得るが、説明の都合上、同図においては１つのコンテンツサーバ４のみが示されている。
【００２９】
本実施例においては、多機能書籍１の制御部１１のＲＯＭには、データテーブルＴに替えて図１３に示すテーブルＴ'が格納される。このテーブルＴ'には、各区分（目次および各章）に対応付けて、コンテンツサーバ４内の情報の格納場所を表すＵＲＬが記述されている。例えば、多機能書籍１の内容が一般向け科学雑誌であって、第１章が物理学、第２章が化学、第３章が生物学・医学、第４章が考古学をテーマとしているものである場合、この多機能書籍１の出版元は、上記ＵＲＬで表されるコンテンツサーバ内の格納位置に、それぞれのテーマに応じたコンテンツを格納しておく。例えば、第１章に対応付けられたＵＲＬである「http://wwww.syuppansya.co.jp/kagaku/section1.html」に、第１章の内容に関連するコンテンツ（例えば、本の内容を補足するための詳しい解説文や物理実験の様子を撮影した動画ファイルをリンクさせたＨＴＭＬページ）を置いておく。
【００３０】
図１４を用いて、情報提供システム１００の動作例を説明する。まず、読者は携帯端末２を手元に置きつつ多機能書籍１を開くと、動作例１と同様、ページ検出部１０はページの検出を行って現在開いているページの区分を特定する（ステップＳ２０）。続いて制御部１１は、データテーブルＴ'を参照して、特定した区分に対応付けられているＵＲＬがあるか否かを判定する。特定した区分が目次であった場合は（ステップＳ２２、Ｎ）、対応付けられているＵＲＬが存在しないので、再びステップＳ２０に戻る。一方、特定した区分が目次以外の第１章〜第４章のいずれかであった場合は（ステップＳ２２、Ｙ）、それぞれ対応付けられているＵＲＬをデータテーブルＴ'から抽出する。そして抽出したＵＲＬを、通信部１４に出力する。通信部１４は、通信インタフェースを１４１を介し当該ＵＲＬを携帯端末２に送信する（ステップＳ２４）。
【００３１】
携帯端末２は当該ＵＲＬを受信すると、ブラウザアプリケーションを起動して当該ＵＲＬで表されるリソースにアクセスする。具体的には、当該ＵＲＬを受信すると、当該ＵＲＬを含んだＨＴＴＰリクエストを自動的に生成し通信ネットワーク３へ送出する。この結果、携帯端末２の表示画面には当該ＵＲＬのｗｅｂページが表示される（ステップＳ２６）。
【００３２】
本実施例によれば、多機能書籍１の読者は、携帯端末２を用いて、現在読んでいるページの内容に関連した情報をコンテンツサーバ４から取得することができる。例えば、書籍の出版元はコンテンツサーバ４を運営し、このコンテンツサーバ４を用いて、多目的書籍１の購入者に対し、スペースの制約上、書籍では説明しきれなかった内容を補足的に提供することができるし、また活字や文字だけではではどうしても表現しきれない内容を動画や音声という別の伝達媒体で読者に提供することもできる。このように、書籍の内容を多角的な情報として提供することができるので、書籍の情報提供媒体としての魅力は増し、結果的に書籍の付加価値は高まる。また、書籍の内容をより深くまたはより容易に読者に理解させるという効果も期待できる。
【００３３】
従来、このような関連情報の提供を行うには、ページにＵＲＬ等を印刷して読者にサーバへのアクセスを促すよりほかなかった。すなわち、読者は、読書中にＵＲＬ等の記述を発見しこの関連情報を得たい考えた場合、読書を一時中断して、携帯端末等を手にとるかまたはＰＣの画面の前に座りＵＲＬを手入力等する必要があった。これは明らかに不便である。これに対し本発明においては、携帯端末のユーザである読者はＵＲＬを打ち込むといった面倒な作業を行うことなく関連情報を取得することができる。携帯端末２を手元に置いておけば、読者は本からあまり目を離さずに関連情報を閲覧・傾聴することができるので、読書の流れが妨げられることがない。
【００３４】
なお、制御部１１のＲＯＭに、ＵＲＬ加えてコンテンツサーバ４にアクセスする際に必要な鍵（例えば所定数の文字列）を格納しておき、ＵＲＬとこの鍵とをセットにして携帯端末２へ送信するようにしてもよい。そして、携帯端末２は、コンテンツサーバ４にアクセスする際に、受信した書籍ＩＤと鍵とを用いてコンテンツサーバ４との間で所定の認証処理を行う。このようにすれば、コンテンツの提供元は、多機能書籍１を持っていないがＵＲＬの情報は多機能書籍１を購入した人から教えてもらったというユーザ等のアクセスを排除することができるので、多機能書籍１の付加価値が一層増大し、購買意欲を促進させることができる。
【００３５】
（動作例３）
図１５は、多機能書籍１と管理サーバ５とを用いて書籍の管理を行う書籍管理システム２００の全体構成を表した図である。管理サーバ５は図書館や書店等に設置され、複数の多機能書籍１を管理するためのサーバコンピュータである。管理サーバ５は、図示せぬデータベースと、ＢｌｕｅｔｏｏｔｈやＩＥＥＥ８０２.１１ｘ等の規格に従って複数の多機能書籍１と無線通信を行う機能を有している。多機能書籍１には、多機能書籍１の各々を一意に識別するための書籍ＩＤが１つずつ割り当てられており、この書籍ＩＤは制御部１１内のＲＯＭに格納される。管理サーバ５のデータベースには、管理サーバ５によって管理されるべき全ての多機能書籍１の書籍ＩＤが予め登録されている。なお、上述したように、書籍管理システム２００には実際には複数の多機能書籍１が存在するが、煩雑化を防ぐため、同図には１つの多機能端末のみ示すこととする。以下では、複数の多機能書籍１（当然本の中身は異なり得る）を保有する図書館に管理サーバ５を設置し、蔵書の管理を行う場合について説明する。また、この図書館の蔵書は全て多機能書籍１であって、予めその書籍ＩＤはデータベースに登録されているものとする。
【００３６】
図書館の利用者（以下、ユーザという）は、まず図書館の入り口に設置され管理サーバ５と接続された端末等（図示せず）を操作して、自己の氏名等の個人情報を入力する。入力された情報は管理サーバ５に送られ、この結果、管理サーバ５には入館したユーザの情報が登録される。
【００３７】
ユーザは、館内に入って所望の書籍（多機能書籍１）の中から一冊を手に取っていずれかのページを開いたとする。すると、この多機能書籍１のセンサＤ１〜にＤ５のいずれかに外光が到達するので、この多機能書籍１の電源が入り、上述したように、ページ検出部１０は香気を発生させ楽音発生部１３はメロディーを再生する。加えて、制御部１１は、ＲＯＭから書籍ＩＤを読み出す。また、制御部１１は、電源部１５および香気発生部１２からそれぞれ電池の残量や香気貯蔵タンク１２１の残量に関する情報を取得し、取得した情報と読み出した書籍ＩＤとを通信インタフェース１４１を介して管理サーバ５に無線送信する。なお、以降、当該多機能書籍１が閉じられるまでは、この処理を行なわない。すなわち、多機能書籍１を開くたびに当該書籍１から情報が管理サーバ５へ提供される。管理サーバ５は、この多機能書籍１から書籍ＩＤを受信すると、データベースに登録されたＩＤから、ユーザが手に取った多機能書籍１を特定し、この書籍がユーザの手に取れらたという事実を、その受信時刻とともに記録する。加えて、取得した香気ガスや電池の残量の情報を記録する。続いて、管理サーバ５は香気ガスや電池の残量が所定値以下になってことを把握した場合は、多機能書籍１へ所定の信号を送信する。多機能書籍１は、この信号を受信すると、例えば楽音発生部１３にて「香気ガスの残量が少なくなっていますので、その旨を係員にお申しつけ下さい」等の所定の音声を再生するなどして、ユーザにその旨を報知する。これに加えて、管理サーバ５は本の内容に関連した情報（例えば音声アナウンスのデータ）を送信し、楽音発生部１３にてこれを再生するようにしてもよい。
【００３８】
このように、ユーザが手にとった事実および時刻が管理サーバ５に記録されるので、図書館の管理者はどの書籍に人気が集まっているのかといったことを把握することができる。また、それぞれの多機能書籍１について香気ガスや電池の残量を把握することができるので、香気ガスや電池がなくなって多機能書籍が正常に機能しなくなる前に、香気貯蔵タンクや電池の交換を行うことが可能となる。
【００３９】
また、多機能書籍１を開いたときに送信されるのは書籍ＩＤだけではなく、書籍ＩＤとユーザのＩＤとをセットであってよい。多機能書籍１がユーザＩＤ取得する方法については、例えば、多機能書籍１にＩＣカードスロットを設け、図書館によって発行されユーザＩＤが書き込まれた図書利用カードを、ユーザがＩＣカードスロットに挿入することによって行う。この場合、管理サーバ５には各多機能書籍１を読んだユーザの情報が記録されるので、例えば、図書館側は、ある書籍がどのような年齢層の読者に多く読まれているかといった情報を取得することができる。
【００４０】
また、電源部１５に補助電池を設け、本が閉じられている状態でも多機能書籍１に電力を供給し、一定の時間間隔（例えば一分ごと）で、通信部１４から、書籍ＩＤを含むビーコン信号を無線送信してもよい。この場合、管理サーバ５はビーコン信号を受信すると、受信信号強度からその書籍のおおよその所在位置を把握することができる。例えば、受信信号強度が所定値以下になっていた場合、管理サーバ５は管理サーバ５のディスプレイ（図示せず）に所定の警告画面を表示し、その旨を係員に報知してもよい。これにより、例えばユーザが貸し出し手続きを経ずに図書館の敷地外に書籍を持ち出そうとした結果、多機能書籍１と管理サーバ５との距離が所定値を越えた場合、所定の警告画面が表示されることになる。これにより、書籍の盗難の発見・抑止という効果が得られる。
【００４１】
（変形例）
ページ検出機構については、上述した光センサを使ったものに限らない。例えば、以下に示すように、磁気センサを用いたものであってもよい。図１６は、書籍の裏表紙の裏面Ｕ２に、センサＤ１〜Ｄ５に替えて磁気センサＭ１〜Ｍ３を設けた例を示した図である。これら磁気センサＭ１〜Ｍ３およびその周辺回路を備えて構成されたページ検出部１０は、ページが開かれた状態で磁気センサＭ１〜Ｍ３の上方に位置する磁気塗料（すなわち、開かれたページの右側のページおよび当該ページ後ろのページに塗布された磁気塗料）の磁気を検知し、検知した磁気の強さに応じた電気信号を生成し、生成された電気信号の強度から現在開かれているページを特定する。図１７には、孔Ｈ１〜Ｈ５に替えて、各奇数ページの右端および各偶数ページの左端の表面に、一定の厚みで磁気塗料が塗布されたページの外観を示す。例えば、３０ページと３１ページが開かれている場合は、開かれていないのは第３２ページから１０１ページであるから、磁気センサＭ１〜Ｍ３が７０ページ分の磁気塗料に相当する強さの磁気を検出し、この磁気に相当する強さの電気信号が得られることになる。したがって、電気信号の強さが分かれば、現在開かれているページを特定することができる。
【００４２】
この方法によれば、磁気塗料を塗布した紙を用意しておけば、ページ毎に異なる位置に孔を開ける必要がないので、製本過程が複雑にならずに済む。例えば、全ページに磁気塗料が塗布された紙を用いて本文ページのみ製本作業を行い、出来上がった書籍に多機能書籍１の各部を組み込んで形成した表紙、背表紙、裏表紙で構成されるカバーを被せるようにしてもよい。
【００４３】
また、開いているページが属する範囲（例えば、１６ページから３５ページ目のいずれかのページ）を検出するではなく、開いているページそのもの（例えば１５ページと１６ページ）を検出することができるので、ページ単位で（正確には２ページの単位で）、香気や楽音の発生を制御することが可能である。また、孔を開けることのできるスペースに制限が課されるといったこともない。
【００４４】
さらに、検出精度を向上させるため、例えば図１８に示すように、表紙の裏面の左側にさらに磁気センサＭ４〜Ｍ６を設け、開いているページの左側（偶数ページ）に塗布された磁気を検出することとしてもよい。
【００４５】
また、磁気塗料と磁気センサＭ１〜Ｍ３に替えて、金属塗料と電気抵抗を測定する測定回路を設けてもよい。具体的には、全てのページの所定の領域に金属塗料を塗布するかまたは金属片を埋め込んでおき、裏表紙の裏面Ｕ２に抵抗測定用の回路を設ける。開かれているページよりも後ろのページおよび裏表紙は互いに接触しているから、裏表紙に設けた測定回路には接触抵抗が観測される。接触している用紙の枚数によって検出される接触抵抗値は異なるので、接触抵抗値を測定することにより現在開いているページを決定することができる。
【００４６】
また、孔の形状や大きさ、位置については任意である。例えば、特に本が薄い場合ページにそりができた状態で読書がなされる場合がある。この場合、ページの孔の位置と裏表紙部の各センサとの位置との間に横方向のずれが生じてしまう結果、光がセンサに届かない虞があるので、図１９に示すように、孔を開ける代わりに横長の溝を切ってもよい。また、ページに設ける孔や溝の位置、塗布する金属塗料や磁気塗料の位置は、奇数ページの右端に限定されるものではない。ページの上部や下部の余白部分であってもよい。偶数ページの左側に孔を設け、表紙の裏面の左側にセンサを設けてもよい。要は、読書の障害とならないように活字や絵が印刷された領域に侵食しない範囲で、各センサの位置に対応していればよい。
【００４７】
これ以外にも、例えば、各ページ（または各偶数（各奇数）ページ）に、光センサを埋め込んでおいてもよい。例えば、各ページの右上端にセンサを設け、各線センサと基板と１７とは背表紙部分を通じて配線接続する。
【００４８】
あるいは、図２０に示すように、連続した２ページ（以下、目的ページという）の各々に無線ＩＣタグＴｆおよびＴｂを貼り付け、これを裏表紙に設けたＩＣタグリーダで検出することにより、ページの検出を行ってもよい。具体的には、電源を有さず受信した無線搬送波を整流して電力を得るパッシブ型の無線通信回路を備えたタグ（以下、単にＩＣタグという）を、検出したいページの所定の余白部分に貼り付ける。あるいは、ページの上から貼り付けるのではなく、ＩＣタグの厚さ十分薄く形成してページに埋め込んでもよい。一方、裏表紙には、無線搬送波を送出する一方ＩＣタグからの無線信号を受信するＩＣタグリーダＴｒを設ける。このＩＣタグリーダはアンチコリジョン（Anti- collision）方式を採用しており、複数のＩＣタグリーダからの信号を同時に受信することができる。ただし、ＩＣタグリーダＴｒが送出する搬送波の強度は距離とともに減衰し、またＩＣタグは所定の強度以上の搬送波を受信しないと動作するための電力が確保できない構成となっている。すなわち、ＩＣタグとＩＣタグリーダとの距離が所定値（例えば１０ｃｍ）以下である場合のみ無線通信を行うことができるようになっている。このような構成において、ページに貼り付けられたＩＣタグＴｆまたはＴｂがＩＣタグリーダＴｒの上方にある、すなわち裏表紙側に位置している場合は、ＩＣタグリーダＴｒとＩＣタグＴｆまたはＴｂ間の距離が所定値以下となっているので、ＩＣタグリーダはＩＣタグからの無線信号を受信することができる。これに対し、ＩＣタグが表表紙側に位置している場合は、ＩＣタグリーダＴｒとＩＣタグＴｆまたはＴｂ間の距離が所定値以上となっているので、ＩＣタグリーダＴｒは当該無線ＩＣタグからの無線信号を受信することができない。よって、ＩＣタグリーダＴｒにて受信されたそれぞれのＩＣタグからの信号の受信状況に基づいて、現在開いているページ（あるいはページ範囲）を決定することができる。ＩＣタグリーダにて検出されるパターンと開いているページとの対応関係を図２１に示す。なお、このようなＩＣタグを設ける箇所（ページ）や数は任意であることはいうまでもない。
【００４９】
また、香気発生部１２の配設位置や香気の発生方法については、上述した態様に限定されるものではない。例えば、香気貯蔵タンク１２１と香気放出制御部１２２に替えて、香料を充填した複数のマイクロカプセルと当該マイクロカプセルプラスティックに機械的圧力や電気的・熱的刺激を加えることによって香気の放出を行う制御装置を用いてもよい。このマイクロカプセルは、例えば、裏表紙や見返り紙に埋め込むことができる。あるいは、香気発生部１２に加えてまたは香気発生部１２に替えて、香気物質を含侵させた樹脂、紙、木材チップあるいは金属を所定のページに貼り付けまたは埋め込むことも可能である。この場合、当該ページが開かれると香気物質が揮発して香りが発生する一方、当該ページが開かれていない場合は他のページと密着しているため、香気物質の揮発が抑えられる結果、香りは発生しない。当該ページの記載内容に関連する香りが発生するように香気物質を好適に選択することが可能であることはいうまでもない。
【００５０】
また、必ずしも、表紙、裏表紙、背表紙を本文ページと別途に設ける必要はない。すなわち、空白である１ページ目を表紙の代わりとして使用し、おなじく空白ページである最終ページを裏表紙として使用してもよい。この場合、基板やセンサを含む多機能書籍１を構成する全ての構成要素を最終ぺージに埋設すればよい。
【００５１】
以上、本発明の実施例について説明したが、上記実施例に対しては種々の変形を行うことが可能であり、本発明の範囲は上記実施例に限定して解釈されるべきものではない。
【図面の簡単な説明】
【００５２】
【図１】本発明に係る多機能書籍１の機能構成図である。
【図２】多機能書籍１の斜視図である。
【図３】多機能書籍１の斜視図である。
【図４】多機能書籍１の香気発生部１２の外観図である。
【図５】書籍の内容の構成を表す図である。
【図６】同多機能書籍１の制御部１１のＲＯＭに格納されるデータテーブルＴの記憶内容を表す図である。
【図７】多機能書籍１の最終ページおよび裏表紙の外観構成図である。
【図８】書籍を構成する各ページの外観を説明するための図である。
【図９】(a)〜(e)は、多機能書籍１を構成する各ページの外観を説明するための図である。
【図１０】センサの検出パターンを示す図である。
【図１１】多機能書籍１の動作例１を表すフローチャートである。
【図１２】多機能書籍１を用いた情報提供システム１００の全体構成を示す図である。
【図１３】データテーブルＴ'の記憶内容を示す図である。
【図１４】多機能書籍１の動作例２を説明するための図である。
【図１５】多機能書籍１を用いた書籍管理システム２００の全体構成を示す図である。
【図１６】本発明の変形例に係るページ検出方法を説明するための図である。
【図１７】本発明の変形例に係るページ検出方法を説明するための図である。
【図１８】本発明の変形例に係るページ検出方法を説明するための図である。
【図１９】本発明の変形例に係るページ検出方法を説明するための図である。
【図２０】本発明の変形例に係るページ検出方法を説明するための図である。
【図２１】無線信号の検出パターンを示す図である。
【符号の説明】
【００５３】
１・・・多機能書籍、２・・・携帯端末、３・・・通信ネットワーク、４・・・コンテンツサーバ、５・・・管理サーバ、１０・・・ページ検出部、１１・・・制御部、１２・・・香気発生部、１３・・・楽音発生部、１４・・・通信部、１５・・・電源部、１６・・・タイマ、１７・・・基板、１２１・・・香気貯蔵タンク、１２２・・・香気放出制御部、１４１・・・通信インタフェース、１００・・・情報提供システム、２００・・・書籍管理システム。
【図１】
2006289775.tif 000003
【図２】
2006289775.tif 000004
【図３】
2006289775.tif 000005
【図４】
2006289775.tif 000006
【図５】
2006289775.tif 000007
【図６】
2006289775.tif 000008
【図７】
2006289775.tif 000009
【図８】
2006289775.tif 000010
【図９】
2006289775.tif 000011
【図１０】
2006289775.tif 000012
【図１１】
2006289775.tif 000013
【図１２】
2006289775.tif 000014
【図１３】
2006289775.tif 000015
【図１４】
2006289775.tif 000016
【図１５】
2006289775.tif 000017
【図１６】
2006289775.tif 000018
【図１７】
2006289775.tif 000019
【図１８】
2006289775.tif 000020
【図１９】
2006289775.tif 000021
【図２０】
2006289775.tif 000022
【図２１】
2006289775.tif 000023